(57)【特許請求の範囲】
【請求項１】
乳房を包むカップ部と、
前記カップ部の表側を覆い、一部が前記カップ部よりも上方に位置するカップ被覆部と、
前記カップ部を肩から吊るすための肩吊部と、
前記カップ部の脇側の縁、および前記カップ部の前中心側の縁と接続され、身体の外周を締め付ける基礎部と、
前記基礎部のうちの前記カップ部の脇側の縁と接続される部分、前記基礎部のうちの前記カップ部の前中心側の縁と接続される部分、および前記肩吊部と接続され、伸縮性を有する生地により形成され、乳房の頂部を覆うパネル部と、
前記カップ被覆部の裏側において、乳房の上縁に沿って前記カップ部の上縁と対応する部分に取り付けられ、前記パネル部よりも上方に位置し、少なくとも一部が前記カップ部よりも上方に配置されるカップテープと
を備える女性用カップ付き衣類。
【請求項２】
前記パネル部の前記基礎部のうちの前記カップ部の脇側の縁と接続される部分は、乳房の頂部よりも下方と対応する部分に位置し、
前記パネル部の前記基礎部のうちの前記カップ部の前中心側の縁と接続される部分は、乳房の頂部よりも下方と対応する部分に位置する
請求項１に記載の女性用カップ付き衣類。
【請求項３】
前記女性用カップ付き衣類は、背面接続部を有し、
前記背面接続部は、前記基礎部のうちの着用者の背面と対応する部分において前記基礎部と前記肩吊部と接続し、肩甲接続部を有し、
前記肩甲接続部は、強緊締力生地により形成され、肩甲骨と対応する部分に配置され、高さ方向の大きさが幅方向の大きさよりも大きい
請求項１または２に記載の女性用カップ付き衣類。
【請求項４】
前記女性用カップ付き衣類は、前記カップ部の脇側の縁と接続される部分に強緊締力生
地が配置されている
請求項１〜３のいずれか一項に記載の女性用カップ付き衣類。
【請求項５】
前記女性用カップ付き衣類は、前側肩吊接続部を有し、
前記前側肩吊接続部は、前記カップ部と前記肩吊部とを互いに接続し、強緊締力生地により形成されている
請求項１〜４のいずれか一項に記載の女性用カップ付き衣類。
【発明の詳細な説明】
【技術分野】
【０００１】
本発明は、女性用カップ付き衣類に関する。
【背景技術】
【０００２】
乳房は、年齢とともに下垂する。乳房の揺れの大きさおよび揺れの回数が大きくなるほど、下垂は著しくなる。一方、着用者にとって乳房の下垂は外観上好ましくない。
従来の女性用カップ付き衣類として、例えば特許文献１のものが挙げられる。特許文献１の女性用カップ付き衣類は、カップ部の上方にパッドを入れている。このため、下垂により減少した乳房の上方がパッドにより膨らむ。このため、上記衣類を着用した状態でのバストの外観を良くすることができる。
【先行技術文献】
【特許文献】
【０００３】
【特許文献１】実開昭６３−７１１１号公報
【発明の概要】
【発明が解決しようとする課題】
【０００４】
上記女性用カップ付き衣類は、衣類による補整によりバストの外観を良くすることができる。一方、衣類を着用しない状態における加齢にともなう乳房の下垂自体を抑制することについては着目していない。
【０００５】
本発明は、以上の背景をもとに創作されたものであり、乳房の下垂を抑制できる女性用カップ付き衣類を提供することを目的とする。
【課題を解決するための手段】
【０００６】
（１）本手段は、「乳房を包むカップ部と、前記カップ部の表側を覆い、一部が前記カップ部よりも上方に位置するカップ被覆部と、前記カップ部を肩から吊るすための肩吊部と、前記カップ部の脇側の縁、および前記カップ部の前中心側の縁と接続され、身体の外周を締め付ける基礎部と、前記基礎部のうちの前記カップ部の脇側の縁と接続される部分、前記基礎部のうちの前記カップ部の前中心側の縁と接続される部分、および前記肩吊部と接続され、伸縮性を有する生地により形成され、乳房の頂部を覆うパネル部と、前記カップ被覆部の裏側において、乳房の上縁に沿って前記カップ部の上縁と対応する部分に取り付けられ、前記パネル部よりも上方に位置し、少なくとも一部が前記カップ部よりも上方に配置されるカップテープとを備える女性用カップ付き衣類」を含む。
【０００７】
上記女性用カップ付き衣類は、基礎部のうちのカップ部の脇側の縁と接続される部分、基礎部のうちのカップ部の前中心側の縁と接続される部分、および肩吊部の三箇所に接続されるパネル部を有する。換言すれば、パネル部は、乳房の上方、脇側、および中心側から乳房を押さえることができる。このため、乳房の揺れが抑制される。このため、乳房が下垂することを抑制できる。
（２）本手段の一形態は、「前記パネル部の前記基礎部のうちの前記カップ部の脇側の縁と接続される部分は、乳房の頂部よりも下方と対応する部分に位置し、前記パネル部の前記基礎部のうちの前記カップ部の前中心側の縁と接続される部分は、乳房の頂部よりも下方と対応する部分に位置する女性用カップ付き衣類」を含む。
【０００８】
上記パネル部は、パネル部の基礎部のうちのカップ部の脇側の縁と接続される部分は、乳房の頂部よりも下方と対応する部分に位置する。パネル部の基礎部のうちのカップ部の前中心側の縁と接続される部分は、乳房の頂部よりも下方と対応する。このため、パネル部は、乳房を脇側の下方および前中心側の下方から支持する。このため、乳房の下方側への揺れが抑制される。このため、乳房の下垂がより抑制される。
【０００９】
（３）本手段の一形態は、「前記女性用カップ付き衣類は、背面接続部を有し、前記背面接続部は、前記基礎部のうちの着用者の背面と対応する部分において前記基礎部と前記肩吊部と接続し、肩甲接続部を有し、前記肩甲接続部は、強緊締力生地により形成され、肩甲骨と対応する部分に配置され、高さ方向の大きさが幅方向の大きさよりも大きい女性
用カップ付き衣類」を含む。
【００１０】
上記女性用カップ付き衣類は、肩甲接続部を有する。肩甲接続部は、肩甲骨と対応する部分に配置される。肩甲接続部は、高さ方向の大きさが幅方向の大きさよりも大きい。着用者が腕を上げる動作を行うとき、大胸筋は肩甲骨を移動させる。このため、着用者が腕を上げる動作を行うとき、肩甲接続部が肩甲骨の移動を阻害し、大胸筋に負荷をかける。このため、大胸筋を鍛えることができる。大胸筋は、乳房の土台となる。このため、女性用カップ付き衣類は、大胸筋を鍛えることにより、乳房内部の脂肪の支持力が低下することを抑制できる。このため、乳房上部のボリュームダウンを抑制できる。
【００１１】
（４）本手段の一形態は、「前記女性用カップ付き衣類は、前記カップ部の脇側の縁と接続される部分に強緊締力生地が配置されている女性用カップ付き衣類」を含む。
上記女性用カップ付き衣類は、脇縁を含む部分が強緊締力生地により形成されている。脇縁を含む部分は、大胸筋の筋線維が集中している部分と対応する。このため、着用者が腕を上げる動作を行うとき、脇縁を含む部分が大胸筋に負荷をかける。このため、大胸筋を鍛えることができる。このため、乳房内部の脂肪の支持力が低下することを抑制できる。このため、乳房上部のボリュームダウンを抑制できる。
【００１２】
（５）本手段の一形態は、「前記女性用カップ付き衣類は、前側肩吊接続部を有し、前記前側肩吊接続部は、前記カップ部と前記肩吊部とを互いに接続し、強緊締力生地により形成されている女性用カップ付き衣類」を含む。
【００１３】
上記女性用カップ付き衣類は、前側肩吊接続部が強緊締力生地により形成されている。前側肩吊接続部は、大胸筋の筋腹部と対応する。このため、着用者が腕を上げる動作を行うとき、前側肩吊接続部が大胸筋に負荷をかける。このため、大胸筋を鍛えることができる。このため、乳房内部の脂肪の支持力が低下することを抑制できる。このため、乳房上部のボリュームダウンを抑制できる。
【発明の効果】
【００１４】
本女性用カップ付き衣類は、乳房の下垂を抑制できる。
【図面の簡単な説明】
【００１５】
【図１】実施形態のブラジャーの正面構造を示す正面図。
【図２】実施形態のブラジャーについて、着用者が着用した状態において着用者の前面側からのブラジャーの正面構造を示す正面図。
【図３】実施形態のブラジャーについて、着用者が着用した状態において着用者の背面側からのブラジャーの正面構造を示す正面図。
【図４】実施形態のブラジャーについて、着用者が着用した状態における大胸筋との関係を示す模式図。
【図５】実施形態のブラジャーについて、カップ部周辺からカップ被覆部を省略した状態のカップ部の正面構造を示す正面図。
【図６】実施形態のブラジャーについて、カップ被覆部の正面構造を示す正面図。
【図７】実施形態のブラジャーについて、カップ部周辺からカップ被覆部およびカップ部を省略した状態のパネル部の正面構造を示す正面図。
【図８】実施形態のブラジャーについて、着用者が着用した状態において着用者の背面側からの背面接続部の正面構造を示す正面図。
【図９】実施形態のブラジャーについて、図２のＺ９−Ｚ９線に沿う断面構造を示す部分断面図。
【図１０】実施形態のブラジャーについて、着用者が着用した状態における背面接続部と肩甲骨との関係を示す模式図。
【発明を実施するための形態】
【００１６】
身体の方向に関する用語として以下の用語を定義する。
・「上方」は、足から頭に向かう方向を示す。
・「下方」は、頭から足に向かう方向を示す。
・「中心側」は、幅方向における身体の中心側を示す。
・「脇側」は、幅方向における身体の中心側とは反対側を示す。
【００１７】
生地に関する用語として以下の用語を定義する。
・「裏側」は、生地における身体の表面と対向する側を示す。
・「表側」は、生地における裏側とは反対側を示す。
【００１８】
図１に示されるように、女性用カップ付き衣類としてのブラジャー１は、カップ部１０、カップ被覆部２０、カップテープ３０（図６参照）、パネル部４０（図７参照）、肩吊部５０、基礎部６０、前側肩吊接続部７０、上脇部８０、および背面接続部９０を有する。カップ部１０、カップ被覆部２０、カップテープ３０（図６参照）、パネル部４０（図７参照）、肩吊部５０、基礎部６０、前側肩吊接続部７０、上脇部８０、および背面接続部９０は、それぞれ左右対称の一対を有する。
【００１９】
図１〜４を参照して基礎部６０について説明する。
図１に示されるように、各基礎部６０は、アンダー部６１、ワイヤー６２、ボーン６３、背面基礎部６４、および接続構造６５を有する。右側の基礎部６０は、右側のカップ部１０を下方、脇側、および中心側から支持する。左側の基礎部６０は、左側のカップ部１０を下方、脇側、および中心側から支持する。
【００２０】
アンダー部６１は、カップ縁６１Ａを有する。アンダー部６１は、カップ部１０を下方から支持する。カップ縁６１Ａは、上方が開口した半円形状を有する。カップ縁６１Ａは、乳房の下方の縁、中心側の縁、および脇側の縁と対応した形状を有する。
【００２１】
ワイヤー６２は、カップ縁６１Ａに沿う形状を有する。ワイヤー６２は、カップ縁６１Ａに沿って取り付けられている。ワイヤー６２は、基礎部６０が乳房の位置を保持する効果を高める。
【００２２】
図２に示されるように、ボーン６３は、アンダー部６１の脇側の端部に配置されている。ボーン６３は、着用者１００の正面と背面との境界としての脇部よりも乳房側に対応する部分において体軸に沿って配置されている。ボーン６３は、着用者１００に対する基礎部６０の位置をずれにくくする。
【００２３】
図１に示されるように、背面基礎部６４は、アンダー部６１と接続されている。背面基礎部６４は、アンダー部６１とは反対側に向かって延びる。接続構造６５は、背面基礎部６４のうちのアンダー部６１とは反対側の端部に取り付けられている。右側の背面基礎部６４の接続構造６５は、フック６５Ａを有する。左側の背面基礎部６４の接続構造６５は、フック受部６５Ｂを有する。
【００２４】
図３に示されるように、右側の接続構造６５および左側の接続構造６５は、互いに連結される。アンダー部６１および背面基礎部６４は、接続構造６５により連続して着用者１００の身体を締め付ける。このため、ブラジャー１は、着用者１００に対する位置が保持される。
【００２５】
図４に示されるように、各前側肩吊接続部７０は、カップ部１０の上方においてカップ部１０と肩吊部５０とを互いに接続している。前側肩吊接続部７０は、大胸筋１２０の筋腹部１２１と対応している。前側肩吊接続部７０は、２枚の強緊締力生地が重ね合わせられている。
【００２６】
各上脇部８０は、カップ部１０よりも脇側において前側肩吊接続部７０とアンダー部６１とを互いに接続している。上脇部８０は、大胸筋１２０の筋線維が集中している部分１２０Ａと対応している。上脇部８０は、一枚の強緊締力生地により形成されている。このため、前側肩吊接続部７０の緊締力は、上脇部８０よりも大きい。
【００２７】
図５および図９を参照して、カップ部１０について説明する。
図５に示されるように、各カップ部１０は、上カップ部１１および下カップ部１２を有する。カップ部１０は、乳房の形状と対応する半球形状を有する。右側のカップ部１０は、右側の乳房を包む。左側のカップ部１０は、左側の乳房を包む。
【００２８】
上カップ部１１は、上縁１１Ａ、下縁１１Ｂ、脇縁１１Ｃ、および中央縁１１Ｄを有する。上カップ部１１は、乳房の上方部分と対応する。図９に示されるように、上カップ部１１は、上方から下方に向かうにつれて、人体側から人体前方側に向かっている。上カップ部１１は、クッション生地により形成されている。上カップ部１１は、下カップ部１２のクッション生地よりも厚手のクッション生地により形成されている。
【００２９】
図５に示されるように、上縁１１Ａは、上カップ部１１の上方の縁を形成している。上縁１１Ａは、中央部分が上方に突出した円弧形状を有する。
下縁１１Ｂは、上カップ部１１の下方の縁を形成している。下縁１１Ｂは、中央部分が下方に突出した円弧形状を有する。
【００３０】
脇縁１１Ｃは、上カップ部１１の脇側の縁を形成している。脇縁１１Ｃは、上縁１１Ａおよび下縁１１Ｂよりも短い。脇縁１１Ｃは、上脇部８０に縫い付けられている。
中央縁１１Ｄは、上カップ部１１の前中心側の縁を形成している。中央縁１１Ｄは、上縁１１Ａおよび下縁１１Ｂよりも短い。中央縁１１Ｄは、カップ縁６１Ａの前中心側の部分に縫い付けられている。
【００３１】
下カップ部１２は、上縁１２Ａ、下縁１２Ｂ、および脇縁１２Ｃを有する。下カップ部１２は、乳房のうちの下方部分と対応する。図９に示されるように、下カップ部１２は、下方から上方に向かうにつれて、人体側から人体前方側に向かっている。下カップ部１２は、クッション生地により形成されている。
【００３２】
図５に示されるように、上縁１２Ａは、下カップ部１２の上方の縁を形成している。上縁１２Ａは、中央部分が上方に突出した円弧形状を有する。なお、カップ部１０は、曲面形状を有するため、図５の平面視においては中央部分が下方に突出した形状を形成する。上縁１２Ａは、上カップ部１１の下縁１１Ｂに縫い付けられている。
【００３３】
下縁１２Ｂは、下カップ部１２の下方の縁を形成している。下縁１２Ｂは、中央部分が下方に突出した円弧形状を有する。下縁１２Ｂは、カップ縁６１Ａの下方側の部分およびカップ被覆部２０に縫い付けられている。
【００３４】
脇縁１２Ｃは、下カップ部１２の脇側の縁を形成している。脇縁１２Ｃは、上縁１２Ａおよび下縁１２Ｂよりも短い。脇縁１２Ｃは、上脇部８０およびカップ被覆部２０に縫い付けられている。
【００３５】
図６を参照して、カップ被覆部２０およびカップテープ３０について説明する。
各カップ被覆部２０および各カップテープ３０は、カップ部１０の表側の面を覆っている。カップ被覆部２０は、弱緊締力生地により形成されている。
【００３６】
各カップ被覆部２０は、上縁２０Ａ、下縁２０Ｂ、および脇縁２０Ｃを有する。右側のカップ被覆部２０は、右側のカップ部１０の表側の面を覆っている。左側のカップ被覆部２０は、左側のカップ部１０の表側の面を覆っている。
【００３７】
上縁２０Ａは、上カップ部１１の上縁１１Ａよりも上方に位置している。下縁２０Ｂは、下カップ部１２の下縁１２Ｂおよびカップ縁６１Ａの下方側の部分に縫い付けられている。脇縁２０Ｃは、前側肩吊接続部７０および上脇部８０に縫い付けられている。
【００３８】
カップテープ３０は、中心側テープ３１および脇側テープ３２を有する。
中心側テープ３１は、カップ被覆部２０の裏側および前側肩吊接続部７０の裏側に縫い付けられている。中心側テープ３１は、乳房の上縁に沿って延びている。中心側テープ３１は、上カップ部１１の上縁１１Ａよりも上方に配置されている。中心側テープ３１の脇側の端部は、肩吊部５０と接続されている。中心側テープ３１の中心側の端部は、カップ縁６１Ａの中心側の部分と接続されている。
【００３９】
脇側テープ３２は、前側肩吊接続部７０の裏側および上脇部８０の裏側に縫い付けられている。脇側テープ３２は、乳房の脇側の縁に沿って延びている。脇側テープ３２の上方の端部は、肩吊部５０と接続されている。脇側テープ３２の脇側の端部は、アンダー部６１と接続されている。
【００４０】
図７を参照して、パネル部４０について説明する。
各パネル部４０は、カップ部１０の裏側に配置されている。各パネル部４０は、基礎生地４１および縁生地４２を有する。基礎生地４１は、伸縮性を有する。基礎生地４１は、強緊締力生地により形成されている。基礎生地４１の幅は、上方から下方に向かうにつれて大きくなる。縁生地４２は、基礎生地４１の外周に縫い付けられている。縁生地４２は、長手方向に伸縮性を有する。
【００４１】
上側接続部分４３は、肩吊部５０に接続されている。中心側接続部分４４は、カップ縁６１Ａの前中心側かつ上カップ部１１（図５参照）よりも下方の部分に接続されている。脇側接続部分４５は、カップ縁６１Ａの脇側かつ上カップ部１１（図５参照）よりも下方の部分に接続されている。
【００４２】
中心側接続部分４４は、乳房の頂部よりも下方と対応する部分に位置する。脇側接続部分４５は、乳房の頂部よりも下方と対応する部分に位置する。このため、パネル部４０の中心側接続部分４４および脇側接続部分４５を接続する部分は、乳房の頂部よりも下方から乳房を支持する。
【００４３】
パネル部４０は、上側接続部分４３、中心側接続部分４４、および脇側接続部分４５以外の部分において、生地が互いに縫い付けられていない。すなわち、パネル部４０は、上側接続部分４３、中心側接続部分４４、および脇側接続部分４５以外の部分において、カップ部１０およびカップ被覆部２０から独立している。
【００４４】
縁生地４２の中心側接続部分４４から脇側接続部分４５までの線分ＬＡの長さは、カップ部１０裏側の面を沿う中心側接続部分４４から脇側接続部分４５までの線分の長さよりも短い。
【００４５】
縁生地４２の上側接続部分４３から中心側接続部分４４までの線分ＬＢの長さは、カップ部１０の裏側の面および前側肩吊接続部７０の裏側の面を沿う上側接続部分４３から中心側接続部分４４までの線分の長さよりも短い。
【００４６】
縁生地４２の上側接続部分４３から脇側接続部分４５までの線分ＬＣの長さは、上脇部８０の裏側の面および前側肩吊接続部７０の裏側の面に沿う上側接続部分４３から脇側接続部分４５までの線分の長さよりも短い。
【００４７】
パネル部４０の面積は、パネル部４０と対向するカップ部１０、前側肩吊接続部７０、および上脇部８０の裏側の面の面積よりも小さい。このため、着用者１００がブラジャー１を着用していない状態において、パネル部４０と、カップ部１０、前側肩吊接続部７０、および上脇部８０の裏側の面との間には隙間が形成されている。
【００４８】
図８を参照して、背面接続部９０について説明する。
背面接続部９０は、基礎背面部９１および肩甲接続部９２を有する。背面接続部９０の上方の端部は、肩吊部５０と接続されている。背面接続部９０の下方かつ背面中心側の端部は、背面基礎部６４と接続されている。背面接続部９０は、下方かつ脇側の端部が背面基礎部６４およびアンダー部６１（図１参照）と接続されている。すなわち、背面接続部９０は、肩吊部５０と背面基礎部６４とを接続する。
【００４９】
背面接続部９０の上方の縁は、肩吊部５０との接続部分から背面中心に向かうにつれて下方に向かう。このため、接続構造６５が互いに接続されたとき、右側の背面接続部９０および左側の背面接続部９０の上縁は、Ｖ字形状を形成する。
【００５０】
基礎背面部９１は、１枚の強緊締力生地により形成されている。
肩甲接続部９２の高さ方向の大きさは、幅方向の大きさよりも大きい。肩甲接続部９２は、体軸に沿う方向に延びている。すなわち、肩甲接続部９２の長手方向は、体軸に沿っている。肩甲接続部９２は、肩甲骨１１０の下角１１１（図１０参照）と対面する位置に配置されている。肩甲接続部９２は、２枚の強緊締力生地が重ね合わされることにより形成されている。このため、肩甲接続部９２の緊締力は、基礎背面部９１の緊締力よりも大きい。なお、基礎背面部９１を形成している強緊締力生地は、肩甲接続部９２を形成している２枚の強緊締力生地のうちの、表側の強緊締力生地と同一の生地により構成されている。
【００５１】
ブラジャー１の作用について説明する。
乳房は、大胸筋、脂肪、乳腺、結合組織、およびクーパー靭帯を有している。結合組織およびクーパー靭帯は、脂肪および乳腺を支持および懸垂している。
【００５２】
乳房は、揺れおよび重力等の外部刺激により乳房を支持および懸垂する力（支持力）が低下する。このため、加齢にともない乳房の全体が下垂する。また、乳房は、加齢にともない大胸筋が衰えることに起因して、乳房上部がボリュームダウンする。すなわち、乳房の上方部分が下垂する。
【００５３】
ブラジャー１は、パネル部４０、上カップ部１１、およびカップテープ３０により乳房の揺れを抑制している。このため、クーパー靭帯の支持力が低下することによる乳房の下垂を抑制できる。また、肩甲接続部９２、前側肩吊接続部７０、および上脇部８０により大胸筋を鍛えることができる。このため、大胸筋が衰えることによる乳房の下垂を抑制することができる。
【００５４】
図７を参照して、パネル部４０の作用の詳細について説明する。
パネル部４０は、上側接続部分４３が肩吊部５０に接続され、中心側接続部分４４および脇側接続部分４５がカップ縁６１Ａに接続されている。すなわち、パネル部４０は、上側、脇側、中心側、および乳房の下側から乳房を押さえている。このため、パネル部４０は乳房の上側、脇側、中心側、および下側への揺れを抑制する。
【００５５】
パネル部４０の面積は、パネル部４０と対向するカップ部１０、前側肩吊接続部７０、および上脇部８０の裏側の面の面積よりも小さい。このため、着用者１００がブラジャー１を着用しているとき、パネル部４０は乳房の大きさに応じて伸びている。このため、パネル部４０は、乳房に揺れが発生していないときについても、乳房を押さえる力が生じている。このため、乳房の揺れを抑制する力が大きくなる。
【００５６】
図９を参照して、カップ部１０の作用の詳細について説明する。なお、図９は、説明のため、各生地を分離して図示している。
一般的に、カップ部１０と乳房との間に形成される隙間が大きいほど、着用者１００が運動したときの乳房の揺れは大きくなる。上カップ部１１は、乳房の上方と対応する。上カップ部１１は、下カップ部１２よりも厚みのあるクッション生地により形成されている。このため、上カップ部１１は、乳房と上カップ部１１との間の隙間を小さくする。このため、乳房の揺れが抑制される。
【００５７】
カップテープ３０の作用の詳細について説明する。
ブラジャー１は、カップテープ３０を有する。カップテープ３０は、カップ部１０よりも上方に配置されている。このため、カップテープ３０は、カップ部１０よりも上方において乳房を押さえる。このため、カップ部１０よりも上方の部分において、乳房の揺れが抑制される。
【００５８】
図１０を参照して、肩甲接続部９２の作用の詳細について説明する。
肩甲接続部９２は、肩甲骨１１０の下角１１１から脇側部分１１２と対応している。
腕が上げられるとき、肩甲骨１１０は図１０の実線の状態から二点鎖線の状態に傾く。このとき、肩甲骨１１０は下角１１１が脇側かつ上方に移動する。肩甲接続部９２は、肩甲骨１１０の下角１１１および脇側部分１１２と対応しているため、肩甲骨１１０が脇側に傾くことを妨げる。
【００５９】
大胸筋１２０は、腕が上げられるときに収縮する。このため、肩甲骨１１０の傾きが妨げられることにより、大胸筋１２０に負荷がかかる。大胸筋１２０は、乳房の裏側に位置する。このため、大胸筋１２０を鍛錬することにより、乳房内部の脂肪の支持力が低下することを抑制できる。このため、乳房上部のボリュームダウンを抑制できる。肩甲接続部９２は、肩甲骨１１０の移動を妨げることにより大胸筋１２０に負荷を与える。このため、大胸筋１２０が鍛えられる。
【００６０】
図４を参照して、前側肩吊接続部７０および上脇部８０の作用の詳細について説明する。
筋腹部は、起始部１２２および停止部１２３よりも膨隆が大きい。前側肩吊接続部７０は、大胸筋１２０の筋腹部１２１と対応している。このため、前側肩吊接続部７０は、起始部１２２および停止部１２３に負荷をかける構成と比較して、大胸筋１２０の鍛錬効果を大きくすることができる。
【００６１】
大胸筋１２０は、複数の筋線維を有する。大胸筋１２０の起始部１２２は、鎖骨、胸骨、肋軟骨、および腹直筋鞘に接続されている。大胸筋１２０の停止部１２３は、上腕骨の大結節稜に接続されている。換言すれば、大胸筋１２０は、身体の全面の広範囲にわたる起始部１２２から、上方かつ脇側に集まり、停止部１２３に達する。このため、胸部のうちの脇付近において、筋線維が集中している。
【００６２】
上脇部８０は、大胸筋の筋線維が集中している部分１２０Ａと対応している。このため、上脇部８０は、胸部のうちの脇付近の部分に負荷をかけることにより、大胸筋の鍛錬効果を大きくすることができる。
【００６３】
ブラジャー１は、以下の効果を奏する。
（１）ブラジャー１は、パネル部４０を有する。パネル部４０は、基礎部６０のカップ縁６１Ａと接続される部分、カップ縁６１Ａの前中心側と接続される部分、および肩吊部５０の三箇所に接続される。このため、パネル部４０は、乳房の上方、脇側、および中心側から乳房を押さえることができる。このため、乳房の揺れが抑制される。このため、乳房が下垂することを抑制できる。
【００６４】
（２）中心側接続部分４４は、乳房の頂部よりも下方と対応する部分に位置する。脇側接続部分４５は、乳房の頂部よりも下方と対応する部分に位置する。このため、パネル部４０は、乳房を脇側の下方および前中心側の下方から支持する。このため、乳房の下方側への揺れが抑制される。このため、乳房の下垂がより抑制される。
【００６５】
（３）ブラジャー１は、仮想のブラジャーに対して有利な効果を奏する。仮想のブラジャーは、カップ部の上部にパッドを入れている。パッドはカップ部の内部においてカップ部に対して固定されている。このため、パッドはカップ部と一体的に動く。このため、着用者１００が運動することによりカップ部自体が揺れたとき、乳房の揺れを抑制する効果が小さい。一方、ブラジャー１は、パネル部４０がカップ部１０の裏側の面に接続されていない。このため、カップ部１０自体が揺れたとき、パネル部４０は、カップ部１０とは各別に動くことができる。このため、パネル部４０はカップ部１０の内部において乳房の揺れを抑制することができる。このため、ブラジャー１は、仮想のブラジャーと比較して、乳房の揺れを抑制する効果が大きい。
【００６６】
（４）パネル部４０は、カップ部１０よりも裏側に位置している。このため、パネル部４０は、カップ部１０よりも乳房側において乳房の揺れを抑制する。このため、パネル部４０をカップ部１０よりも表側に配置する構成と比較して、乳房の揺れを抑制する効果が大きい。
【００６７】
（５）ブラジャー１は、肩甲接続部９２を有する。肩甲接続部９２は、肩甲骨と対応する部分において長手方向が体軸に沿って配置される。着用者１００が腕を上げる動作を行うとき、大胸筋１２０は肩甲骨１１０を移動させる。このため、着用者１００が腕を上げる動作を行うとき、肩甲接続部９２が肩甲骨の移動を阻害し、大胸筋１２０に負荷をかける。このため、大胸筋１２０が鍛えられる。このため、大胸筋１２０が鍛えられることにより、乳房内部の脂肪の支持力が低下することを抑制できる。このため、乳房上部のボリュームダウンを抑制できる。
【００６８】
（６）ブラジャー１は、脇縁を含む上脇部８０が強緊締力生地により形成されている。上脇部８０は、大胸筋１２０の筋線維が集中している部分１２０Ａと対応する。このため、大胸筋１２０を鍛えることができる。このため、乳房内部の脂肪の支持力が低下することを抑制できる。このため、乳房上部のボリュームダウンを抑制できる。
【００６９】
（７）ブラジャー１は、前側肩吊接続部７０が強緊締力生地により形成されている。前側肩吊接続部７０は、大胸筋１２０の筋腹部１２１と対応する。このため、大胸筋１２０を鍛えることができる。このため、乳房内部の脂肪の支持力が低下することを抑制できる。このため、乳房上部のボリュームダウンを抑制できる。
【００７０】
（８）着用者１００が肩の内転を行うとき、大胸筋１２０が働く。ブラジャー１は、背面接続部９０の上縁がＶ字形状を有する。このため、背面接続部９０は、肩を背面中心側かつ下方に引き寄せる力を作用させる。このため、背面接続部９０は、肩の内転を阻害し、大胸筋１２０に負荷をかける。このため、ブラジャー１は大胸筋１２０を鍛えることができる。
【００７１】
（その他の実施形態）
本ブラジャーは、上記実施形態以外の実施形態を含む。以下、本ブラジャーのその他の実施形態としての上記実施形態の変形例を示す。なお、以下の各変形例は、互いに組み合わせることができる。
【００７２】
・実施形態のブラジャー１は、パネル部４０の面積が、パネル部４０と対向するカップ部１０、前側肩吊接続部７０、および上脇部８０の裏側の面の面積よりも小さい。ただし、ブラジャー１の構成はこれに限られない。例えば、変形例のブラジャー１は、パネル部４０の面積が、パネル部４０と対向するカップ部１０、前側肩吊接続部７０、および上脇部８０の裏側の面の面積と等しい。この変形例においても、パネル部４０は乳房の上方、中心側、および脇側を包むため、乳房の揺れを抑制することができる。
【００７３】
・実施形態のパネル部４０は、カップ部１０の裏側に配置されている。ただし、パネル部４０の構成はこれに限られない。例えば、変形例のカップ部１０は、カップ部１０とカップ被覆部２０の間、またはカップ被覆部２０よりも表側に配置されている。この場合、パネル部４０は、カップ部１０ごと乳房を押さえるため、乳房の揺れが抑制される。
【００７４】
・実施形態の肩甲接続部９２は、２枚の強緊締力生地を重ね合わせている。ただし、肩甲接続部９２の構成はこれに限られない。例えば、変形例の肩甲接続部９２は、１枚の強緊締力生地よりも緊締力の大きい生地により形成されている。
【００７５】
・実施形態の肩甲接続部９２は、長辺が体軸に沿う長方形状を有する。ただし、肩甲接続部９２の構成はこれに限られない。例えば、変形例の肩甲接続部９２は、Ｌ字形状を有する。この変形例の肩甲接続部９２は、下方の背面中心側の端部が背面中心側に向かって突出している。
【００７６】
・実施形態の背面接続部９０は、基礎背面部９１を有する。ただし、背面接続部９０の構成はこれに限られない。例えば、変形例の背面接続部９０は、基礎背面部９１を省略している。この変形例の背面接続部９０は、肩甲接続部９２と対応する部分のみを有する。
【００７７】
・実施形態のブラジャー１は、背面接続部９０を有する。ただし、ブラジャー１の構成はこれに限られない。例えば、変形例のブラジャー１は、背面接続部９０を省略している。この変形例の肩吊部５０は、背面基礎部６４と直接的に接続される。
【００７８】
・実施形態のブラジャー１は、前側肩吊接続部７０を有する。ただし、ブラジャー１の構成はこれに限られない。例えば、変形例のブラジャー１は、前側肩吊接続部７０を省略している。この変形例の肩吊部５０は、カップ部１０と直接的に接続される。
【００７９】
・実施形態の前側肩吊接続部７０は、強緊締力生地により形成されている。ただし、前側肩吊接続部７０の構成はこれに限られない。例えば、変形例の前側肩吊接続部７０は、弱緊締力生地により形成されている。
【００８０】
・実施形態のブラジャー１は、前側肩吊接続部７０と別の生地により形成される上脇部８０を有する。ただし、ブラジャー１の構成はこれに限られない。例えば、変形例のブラジャー１は、前側肩吊接続部７０および上脇部８０が一枚の生地により形成されている。
【００８１】
・実施形態のブラジャー１は、上脇部８０を有する。ただし、ブラジャー１の構成はこれに限られない。例えば、変形例のブラジャー１は、上脇部８０を省略している。
・実施形態の上脇部８０は、強緊締力生地により形成されている。ただし、上脇部８０の構成はこれに限られない。例えば、変形例の上脇部８０は、弱緊締力生地により形成されている。
【００８２】
・実施形態のブラジャー１は、肩吊部５０を有する。ただし、ブラジャー１の構成はこれに限られない。例えば、変形例のブラジャー１は、肩吊部５０を省略した、ストラップレスのブラジャーとして構成される。
【００８３】
・実施形態のブラジャー１は、右側の基礎部６０および左側の基礎部６０が別体に形成されている。ただし、ブラジャー１の構成はこれに限られない。例えば、変形例のブラジャー１は、右側の基礎部６０および左側の基礎部６０が一体的に形成されている。
【００８４】
・実施形態のブラジャー１は、各生地の隣り合う部分が互いに縫い付けられている。ただし、ブラジャー１の構成はこれに限られない。例えば、変形例のブラジャー１は、各生地の隣り合う部分が互いに接着剤により接着されている。また、更なる変形例のブラジャー１は、前側肩吊接続部７０および肩甲接続部９２において、重ね合わされる生地が互いに接着材等により張り合わせられている。要するに、各生地が互いに取り付けられる構成であればいずれの取り付け方法を採用することもできる。
【００８５】
・実施形態のブラジャー１は、前側肩吊接続部７０および肩甲接続部９２において、生地を重ね合わせることにより、生地の緊締力を大きくしている。ただし、ブラジャー１の構成はこれに限られない。例えば、変形例のブラジャー１は、生地に加工を施すことにより、生地の緊締力を変更している。この変形例においては、加工後の緊締力の大きい部分が前側肩吊接続部７０または肩甲接続部９２を形成する。加工としては、例えば、オパール加工およびプリント加工が挙げられる。また、１枚の身生地において、他の部分よりも緊締力の大きい編み加工を施した部分を形成し、緊締力の大きい編み加工を施した部分を前側肩吊接続部７０または肩甲接続部９２として配置することもできる。
【００８６】
・実施形態は、女性用カップ付き衣類の一例としてブラジャー１を開示したが、他の女性用カップ付き衣類に適用することもできる。他の女性用カップ付き衣類としては、例えば、ボディーシェイパー、ボディースーツ、およびカップ付きインナー等が挙げられる。
【符号の説明】
【００８７】
１…ブラジャー、１０…カップ部、１１…上カップ部、１１Ａ…上縁、１１Ｂ…下縁、１１Ｃ…脇縁、１１Ｄ…中央縁、１２…下カップ部、１２Ａ…上縁、１２Ｂ…下縁、１２Ｃ…脇縁、２０…カップ被覆部、２０Ａ…上縁、２０Ｂ…下縁、２０Ｃ…脇縁、３０…カップテープ、３１…中心側テープ、３２…脇側テープ、４０…パネル部、４１…基礎生地、４２…縁生地、４３…上側接続部分、４４…中心側接続部分、４５…脇側接続部分、５０…肩吊部、６０…基礎部、６１…アンダー部、６１Ａ…カップ縁、６２…ワイヤー、６３…ボーン、６４…背面基礎部、６５…接続構造、６５Ａ…フック、６５Ｂ…フック受部、７０…前側肩吊接続部、８０…上脇部、９０…背面接続部、９１…基礎背面部、９２…肩甲接続部。
【要約】
【課題】乳房の下垂を抑制できる女性用カップ付き衣類を提供する。
【解決手段】ブラジャー１は、肩吊部５０、基礎部６０、およびパネル部４０を有する。基礎部６０は、乳房を包むカップ部を支持する。パネル部４０は、基礎部６０のカップ縁６１Ａと接続される部分、カップ縁６１Ａの前中心側と接続される部分、および肩吊部５０の三箇所に接続される。パネル部４０は、伸縮性を有する生地により形成されている。
【選択図】図７【図１】
0005465800.tif 000002
【図２】
0005465800.tif 000003
【図３】
0005465800.tif 000004
【図４】
0005465800.tif 000005
【図５】
0005465800.tif 000006
【図６】
0005465800.tif 000007
【図７】
0005465800.tif 000008
【図８】
0005465800.tif 000009
【図９】
0005465800.tif 000010
【図１０】
0005465800.tif 000011